(57)【要約】【課題】不要な異常停止を回避して、速やかに空調能力の供給を行なうことのできる空気調和装置を得ることである。【解決手段】この空気調和装置はＭＰＵ２を中心として構成され、メモリ４（設定値記憶手段）を有している。そして、ＭＰＵ２の停電自動復帰手段２３は空調運転中の停電により運転を停止させ電源復帰により空調運転を再開させるようになっている。メモリ４は通常電源投入時に確認される初期立ち上げのための立ち上げ設定値を記憶する。ＭＰＵ２は、一旦立ち上げ処理により初期の立ち上げ設定値が確認された場合に、その立ち上げ設定値を予めメモリ４に記憶しておき、停電自動復帰手段２３は、メモリ４に予め記憶されている立ち上げ設定値に従って停電自動復帰時に空調運転を再開させるように構成されている。【選択図】図１
2010175132.tif 000002
【特許請求の範囲】
【請求項１】
空調運転中の停電により運転を停止させ電源復帰により空調運転を再開させる停電自動復帰手段を備えた空気調和装置において、
電源投入時に確認される初期立ち上げのための立ち上げ設定値を予め記憶する設定値記憶手段を備え、
前記停電自動復帰手段は、停電自動復帰時に前記設定値記憶手段に予め記憶されている立ち上げ設定値に従って空調運転を再開させるように構成されていることを特徴とする空気調和装置。
【請求項２】
空調運転中の停電により運転を停止させ電源復帰により空調運転を再開させる停電自動復帰手段を備えた空気調和装置において、
電源投入時に確認される初期立ち上げのための立ち上げ設定値を予め記憶する設定値記憶手段と、
停電自動復帰時に立ち上げ設定値の設定状態を確認する第１設定状態確認手段と、
立ち上げ設定値の設定異常を発報出力する異常発報手段とを備え、
前記停電自動復帰手段は、前記第１設定状態確認手段により立ち上げ設定値の設定状態の異常が確認されたときに前記設定値記憶手段に予め記憶されている立ち上げ設定値に従って空調運転を再開させるとともに、前記異常発報手段により前記立ち上げ設定値の設定状態の異常を外部に発報させながら空調運転を継続させるように構成されていることを特徴とする空気調和装置。
【請求項３】
空調運転中の停電により運転を停止させ電源復帰により空調運転を再開させる停電自動復帰手段を備えた空気調和装置において、
電源投入時に確認される初期立ち上げのための立ち上げ設定値を予め記憶する設定値記憶手段と、
通常の空調運転を行なう空調運転手段と、
通常の空調運転中に立ち上げ設定値の設定状態を定期的に確認する第２設定状態確認手段と、
立ち上げ設定値の設定異常を発報出力する異常発報手段とを備え、
前記空調運転手段は、第２設定状態確認手段により立ち上げ設定値の設定状態の異常が確認された場合に立ち上げ設定値の設定状態の異常があることを前記異常発報手段により外部に発報させながら空調運転を継続するとともに、
前記停電自動復帰手段は、停電自動復帰時に前記第２設定状態確認手段により前記前記設定値の確認機能が改善されていないと判断された場合に前記設定値記憶手段に予め記憶されている立ち上げ設定値に従って空調運転を再開させるように構成されていることを特徴とする空気調和装置。
【発明の詳細な説明】
【技術分野】
【０００１】
この発明は、停電自動復帰機能を備え、電源投入時に初期設定を自動検出する機能を有する空気調和装置に関するものである。
【背景技術】
【０００２】
従来、この種の空気調和装置としては、下記の特許文献１に記載されたものが知られている。この文献１記載の空気調和装置は各種設定スイッチにより指定された条件を設定条件として空調運転を行なうものであって、不揮発性の記憶手段と、この記憶手段の書き込みおよび読み出しを行なう書き込み読み出し手段とを備え、書き込み読み出し手段は電源の遮断時の運転設定を記憶手段に書き込むとともに、電源の投入時に記憶手段に書き込まれている運転設定を読み出して初期設定値として利用するようになっている。
【０００３】
【特許文献１】特開昭６２−１２９６３６号公報
【発明の開示】
【発明が解決しようとする課題】
【０００４】
従来の空気調和装置では、電源投入毎に空気調和装置の初期設定が確認されている。電源投入の初期設定時に確認される一般的なものとして、制御基板上のディップスイッチなどで設定されるユニットアドレス設定、能力コード設定、容量および電気回路部品で検出される電源周波数設定などがある。これらの設定値は立上げ処理が完了すると、電源が遮断されるまで同一値で使用されるため、再度検出が行われることは無い。また、これらの設定値は空気調和装置の運転に必要不可欠なものであり、ディップスイッチや電気回路部品などの検出部品に問題があるために正しく検出されない場合、空気調和装置は異常モードとなり、異常発報を行うようになっている。しかしながら、停電自動復帰機能を有する空気調和装置を必要とする設置環境として、電算室や食料品保管庫などがあるが、これらは空調運転の停止に伴う室温上昇により重大な被害を受ける可能性が高いことが多く、空気調和装置の運転停止を出来るだけ回避する必要がある。
【０００５】
また、従来の空気調和装置では、万一通常の運転中に初期設定値の検出部品に問題が生じた場合は異常が検出されない。そのうち停電が発生し、電源が復帰した時の立上げ処理の初期設定中に異常を検出して異常停止となるため、空調能力供給が最も必要となるタイミングでありながら異常停止となって、例えば冷房能力が十分に供給されないことが想定される。
【０００６】
この発明は、上記のような課題を解決するためになされたもので、その目的とするところは、不要な異常停止を回避して、速やかに空調能力の供給を行なうことのできる空気調和装置を得ることである。
【課題を解決するための手段】
【０００７】
この発明に係る空気調和装置は、空調運転中の停電により運転を停止させ電源復帰により空調運転を再開させる停電自動復帰手段を備えた空気調和装置において、通常電源投入時に確認される初期立ち上げのための立ち上げ設定値を予め記憶する設定値記憶手段を備え、停電自動復帰手段は、停電自動復帰時に、設定値記憶手段に予め記憶されている立ち上げ設定値に従って空調運転を再開させるように構成されているものである。
【発明の効果】
【０００８】
この発明に係る空気調和装置は、一旦立ち上げ処理により初期の立ち上げ設定値が確認された場合は、その立ち上げ設定値を予め記憶しておき、記憶しておいた立ち上げ設定値を停電自動復帰時に使用して空調運転を再開させるように構成したので、不要な異常停止を回避することができる、これによって、速やかな空調能力の供給が可能となる。
【発明を実施するための最良の形態】
【０００９】
実施の形態１．
図１はこの発明の実施の形態１，２，３における空気調和装置の概略構成を示すブロック図である。
図に示すように、実施形態１，２，３の空気調和装置は冷凍サイクル動作により空気調和を行なう冷媒回路を運転制御する制御装置１を備えている。この制御装置１はマイクロプロセシングユニット（ＭＰＵと略称する）２を中心として構成され、基本制御データなどを記憶するＲＯＭ機能と運転データや初期立ち上げデータなどを書換可能に記憶するＲＡＭ機能を有するメモリ４を有している。ＭＰＵ２とメモリ４はデータバス３を介してデータ入出力可能に接続されている。データバス３のデータ入力部には、キーボード、マウス、デジタイザなどのような外部からデータ入力を行なうための外部入力手段５と、制御装置１の基板に配備されたディップスイッチ６がデータ入力可能に接続されている。そして、データバス３のデータ出力部には、空気調和装置の各種の運転機器９，９，９，・・・を駆動する各種のドライバ７，７，７，・・・がデータ出力可能に接続されている。これらの運転機器９，９，９，・・・は、例えば容量可変圧縮機のインバータ、冷媒絞り装置のＬＥＶ、電磁開閉弁、送風機のインバータなどである。また、データバス３のデータ出力部には、各種の発報機器１０，１０，１０，・・・を駆動する各種のドライバ８，８，８，・・・がデータ出力可能に接続されている。これらの発報機器１０，１０，１０，・・・は、例えば警報出力装置、アラームランプ点灯装置、警報画面表示装置、警報通信装置などである。警報通信装置としての発報機器１０は、異常に係る信号を外部の例えば集中管理システム１１に出力するようになっている。
【００１０】
そして、ＭＰＵ２は、後でそれぞれ詳述する、設定手段２１の機能、空調運転手段２２の機能、停電自動復帰手段２３の機能、第１設定状態確認手段２４の機能、第２設定状態確認手段２５の機能、および異常発報手段２６の機能を備えている。ＭＰＵ２の停電自動復帰手段２３の機能は、空調運転中の停電により運転を停止させ電源復帰により空調運転を再開させるようになっている。また、メモリ４には、電源投入時に確認される初期立ち上げのための立ち上げ設定値も記憶される。
【００１１】
次に、実施形態１に係る空気調和装置の動作について説明する。
図２はこの発明の実施の形態１における空気調和装置の制御フローを示す図である。
まず、運転中のサーモオフ時であれ運転停止中であれ、通常の状態で電源がＯＮされると（ステップＳ１）、ＭＰＵ２は初期立ち上げのための立ち上げ設定値をメモリ４（設定値記憶手段の機能）に記憶させておく（ステップＳ２）。そのうち、停電があって空気調和装置が停止し（ステップＳ３）、そののちに電源が復帰（復電）すると（ステップＳ４）、ＭＰＵ２は停電自動復帰を行なう必要があるか否かを判定する（ステップＳ５）。この場合の判定は、停電前にもともと停止中であったか、サーモオフを含む運転中であったかで判断される。そこで、ＭＰＵ２は、停電前の空気調和装置の状態が停止であった場合は自動復帰が不要と判断し（ステップＳ５のＮ）、停電前の空気調和装置の状態が運転中またはサーモオフであった場合は自動復帰が必要であると判断する（ステップＳ５のＹ）。
【００１２】
ステップＳ５において、停電自動復帰が必要と判断された場合（Ｙ）、停電自動復帰手段２３の機能は、停電自動復帰時に、メモリ４に予め記憶されている立ち上げ設定値を設定手段２１の機能によりＭＰＵ２に設定させ（ステップＳ１０）、更に停電自動復帰手段２３の機能は、設定された立ち上げ設定値に従って空調運転を再開させる（ステップＳ１１）。一方、自動復帰が不要と判断された場合（Ｎ）、ステップＳ６で種々の立ち上げ設定値が確認される。ステップＳ６での確認に対し、初期設定に異常がなく設定完了したか否かがステップＳ７で判断される。初期設定が異常なく完了していれば（ステップＳ７のＹ）、運転の停止が継続される（ステップＳ９）。初期設定に異常があれば（ステップＳ７のＮ）、初期の立ち上げ設定値に異常があり異常停止モードであるとして、その旨の異常発報が異常発報手段２６の機能により発報機器１０へ出力される（ステップＳ８）。
【００１３】
以上のように、この実施形態１の空気調和装置によれば、通常の運転中に初期の立ち上げ設定値を検出する検出部品などに問題が生じていても、その後の停電から電源復帰の立ち上げ処理の初期設定においては、予めメモリ４に記憶されている立ち上げ設定値を停電自動復帰時に使用して空調運転を再開することで、不要な異常停止を回避することができ、速やかな空調能力の供給が可能となる。
【００１４】
実施の形態２．
この実施形態２に係る空気調和装置は図１に示した制御装置１を有している。制御装置１のＭＰＵ２は、制御に使用すべきデータをＭＰＵ２に設定する設定手段２１の機能と、空調運転中の停電により運転を停止させ電源復帰により空調運転を再開させる停電自動復帰手段２３の機能と、停電自動復帰時に空調運転中に立ち上げ設定値の設定状態を確認する第１設定状態確認手段２４の機能と、立ち上げ設定値の設定異常を外部に発報出力する異常発報手段２６の機能とを有している。
【００１５】
図３はこの発明の実施の形態２における空気調和装置の制御フローを示す図である。
この制御フローにおけるステップＳ１〜Ｓ９は前述した実施形態１における図２のステップＳ１〜Ｓ９と同じであるので説明を省略する。この実施形態２の制御フローでは、特に、ステップＳ５（Ｙ）から続く、ステップＳ５Ａ，Ｓ５Ｂ，Ｓ１０，Ｓ１０Ａが特徴的なステップである。
ステップＳ５において、ＭＰＵ２は、停電前の空気調和装置の状態が運転中またはサーモオフであった場合に自動復帰が必要であると判断する（Ｙ）。このときの立ち上げ設定値の値は基本的にステップＳ６の値と同じであるが、以前の値と同じかも知れないし、ディップスイッチ６などをマニュアル操作して変えられているかも知れない。そこで、ステップＳ５Ａにおいて、このときの立ち上げ設定値を１回読めるか否か確認する。
【００１６】
ステップＳ５Ａにおける確認に対し、初期設定に異常がなく完了したか否かがステップＳ５Ｂで判断される。初期設定が異常でなく設定完了していれば（ステップＳ５ＢのＹ）、停電自動復帰手段２３の機能はそのまま運転を再開させる（ステップＳ１１）。初期設定に異常があれば（ステップＳ５ＢのＮ）、停電自動復帰手段２３の機能は、メモリ４に予め記憶されている立ち上げ設定値を停電自動復帰時に設定手段２１の機能によりＭＰＵ２に設定させるとともに（ステップＳ１０）、異常停止をさせることなく異常発報手段２６の機能により異常発報を出力する（ステップＳ１０Ａ）。更に停電自動復帰手段２３の機能は、設定された立ち上げ設定値に従って空調運転を再開させる（ステップＳ１１）。この実施形態２においては、第１設定状態確認手段２４の機能が、停電自動復帰時に立ち上げ設定値の設定状態を確認している（ステップＳ５Ａ，５Ｂ）。また、異常発報手段２６の機能が立ち上げ設定値の設定異常を発報出力している（ステップＳ１０Ａ）。
すなわち、この実施形態２では、通常の電源ＯＮ中に初期設定値をマイコンに記憶しておき、停電から復電後にまず停電自動復帰の要否を判定する。停電前の空気調和装置の状態が停止の場合は自動復帰が不要と判断し、停電前の空気調和装置の状態が運転またはサーモオフの場合は自動復帰が必要と判断する。停電自動復帰が必要と判断した場合の初期設定値の確認に異常が生じた場合、予め記憶していた立ち上げ設定値を初期設定値として空調運転を行いつつ、初期設定値の検出に異常が生じていることを発報するようにしている。
【００１７】
この実施形態２の空気調和装置によれば、停電自動復帰時に基本的に最新の立ち上げ設定値を確認し、確認した立ち上げ設定値に問題がなければ、最新の立ち上げ設定値を用いて運転を再開することができる。また、通常の運転中に初期の立ち上げ設定値を検出する検出部品に問題が生じていても、その後の停電から電源復帰の立上げ処理の初期設定では、予め記憶しておいた立ち上げ設定値を停電自動復帰時に使用して空調運転を再開することで、不要な異常停止を回避することができ、速やかな能力供給が可能となる。更に、空気調和装置の初期設定に問題が発生していることを通報することで、負荷側に影響の無いタイミングでの部品交換等の補修が可能となる。
【００１８】
実施の形態３．
この実施形態３に係る空気調和装置は図１に示した制御装置１を有している。制御装置１のＭＰＵ２は、各種の設定値を制御のために設定する設定手段２１と、通常の空調運転を行なう空調運転手段２２の機能と、空調運転中の停電により運転を停止させ電源復帰により空調運転を再開させる停電自動復帰手段２３の機能と、通常の空調運転中に立ち上げ設定値の設定状態を定期的に確認する第２設定状態確認手段２５の機能と、立ち上げ設定値の設定異常を外部に発報出力する異常発報手段２６の機能とを有している。
【００１９】
図４はこの発明の実施の形態３の空調ユニットの制御フローである。
この制御フローにおけるステップＳ１，Ｓ２，Ｓ４〜Ｓ９、Ｓ５Ａ，Ｓ１０，Ｓ１０Ａ，Ｓ１１は前述した実施形態２における図３と同じである。この実施形態３の制御フローでは、特に、ステップＳ２から続く、ステップＳ２Ａ〜Ｓ２Ｃ，Ｓ３Ａ、およびステップＳ５から続く、Ｓ５ＡＡがそれぞれ特徴的なステップである。
まず、通常の状態で電源がＯＮされると（ステップＳ１）、ＭＰＵ２は初期立ち上げのための立ち上げ設定値をメモリ４に記憶させておく（ステップＳ２）。続いて、立ち上げ設定値を確認する確認機能に問題ないか判断される（ステップＳ２Ａ）。確認機能に問題がなければ（Ｙ）、空気調和装置の運転状態または停止状態がそのまま継続される（ステップＳ２Ｂ）。一方、確認機能に問題があれば（Ｎ）、異常停止がされることなく、メンテナンス異常であるとして異常発報されたのちに（ステップＳ２Ｃ）、空気調和装置の運転状態または停止状態がそのまま継続される（ステップＳ２Ｂ）。そのうち、停電があって空気調和装置が停止すれば（ステップＳ３ＡのＹ）、処理はステップＳ４に進み、停電がなければ（Ｎ）、処理はステップＳ２Ａに戻る。これらのステップＳ２Ａ〜Ｓ３Ａは定期的に繰り返し処理される。
【００２０】
そうして、電源が復帰すると（ステップＳ４）、停電前の状態が停止中であったかサーモオフを含む運転中であったかに基づいてＭＰＵ２は停電自動復帰を行なう必要があるか否かを判定する（ステップＳ５）。停電前に停止中であり自動復帰が不要と判断した場合（Ｎ）、前述の実施形態１，２と同様、ステップＳ６〜Ｓ９の処理を繰り返す。
停電前に運転中かサーモオフ中であって自動復帰が必要と判断された場合（ステップＳ５のＹ）、ステップ５ＡＡにおいて初期の立ち上げ設定値の確認が可能か否かが判断される。初期の立ち上げ設定値を読み込めないなど確認ができなければ（Ｎ）、停電自動復帰手段２３の機能は、メモリ４に予め記憶されている立ち上げ設定値を停電自動復帰時に設定手段２１によりＭＰＵ２に設定させるとともに（ステップＳ１０）、異常停止をさせることなく異常発報手段２６の機能により異常発報を出力する（ステップＳ１０Ａ）。更に停電自動復帰手段２３の機能は、設定された立ち上げ設定値に従って空調運転を再開させる（ステップＳ１１）。
一方、初期の立ち上げ設定値を読み込めて確認ができたのであれば（ステップ５ＡＡのＹ）、ステップＳ５Ａで初期の立ち上げ設定値が確認され、設定された立ち上げ設定値に従って空調運転が再開される（ステップＳ１１）。
【００２１】
この実施形態３においては、ＭＰＵ２の第２設定状態確認手段２５の機能（ステップＳ２Ａ）により立ち上げ設定値の設定状態の異常が確認された場合に、立ち上げ設定値の設定状態の異常があることを異常発報手段２６の機能（ステップＳ２Ｃ）により外部の集中管理システム１１に発報させながら、空調運転手段２２の機能（ステップＳ２Ｂ）が空調運転を継続する。また、停電自動復帰手２３段の機能は、停電自動復帰時に第２設定状態確認手段２５の機能（ステップＳ５ＡＡ）により設定値の確認機能が改善されていないと判断された場合にメモリ４に予め記憶されている立ち上げ設定値に従って空調運転を再開させる。
【００２２】
すなわち、この実施形態３の空気調和装置は、通常の空気調和装置の運転中に、停電自動復帰時の初期立ち上げ設定値の確認ができるか否かを定期的に確認し、設定値の確認機能に異常がある場合、空調運転を継続しながら初期設定値の確認機能に異常があることを事前に発報するようになっている。具体的には、通常の電源ＯＮ中に初期設定値を設定値記憶手段に記憶しておき、停電から復電後にまず停電自動復帰の要否を判定する。停電前の空気調和装置の状態が停止の場合は自動復帰が不要であると判断し、停電前の空気調和装置の状態が運転またはサーモオフの場合は自動復帰が必要であると判断する。停電自動復帰が必要であると判断した場合の初期設定値の確認に異常が生じていた場合、予め記憶していた立ち上げ設定値を初期設定値として運転を行いつつ、初期設定値の検出に異常が生じていることを外部に発報する。停電自動復帰が必要と判断した場合の初期設定値の確認に異常が無い場合は通常通り初期設定値の確認を行って自動運転を開始するのである。
【００２３】
以上のように、この実施形態３の空気調和装置によれば、万一、停電自動復帰時に、立ち上げ設定値の確認機能が改善されていなかった場合には、メモリ４に予め記憶しておいた立ち上げ設定値に従い空調運転を開始することができる。
更に、空気調和装置の初期設定に問題が発生していることを外部に通報することで、負荷側に影響の無いタイミングでの部品交換等の補修が可能となる。
【図面の簡単な説明】
【００２４】
【図１】この発明の実施の形態１，２，３における空気調和装置の概略構成を示すブロック図である。
【図２】この発明の実施の形態１における空気調和装置の制御フローを示す図である。
【図３】この発明の実施の形態２における空気調和装置の制御フローを示す図である。
【図４】この発明の実施の形態３における空気調和装置の制御フローを示す図である。
【符号の説明】
【００２５】
１  制御装置、２  ＭＰＵ、４  メモリ（設定値記憶手段）、５  外部入力手段、６  ディップスイッチ、９  運転機器、１０  発報機器、２１  設定手段、２２  空調運転手段、２３  停電自動復帰手段、２４  第１設定状態確認手段、２５  第２設定状態確認手段、２６  異常発報手段。
【図１】
2010175132.tif 000003
【図２】
2010175132.tif 000004
【図３】
2010175132.tif 000005
【図４】
2010175132.tif 000006